【手続補正書】
【提出日】平成15年7月29日(2003.7.29)
【手続補正１】
【補正対象書類名】明細書
【補正対象項目名】発明の名称
【補正方法】変更
【補正の内容】
【発明の名称】画像処理装置及びその方法


【手続補正２】
【補正対象書類名】明細書
【補正対象項目名】特許請求の範囲
【補正方法】変更
【補正の内容】
【特許請求の範囲】
【請求項１】
画像処理装置であって、
単一の記録媒体上にレイアウトされる複数の原稿画像の向きに関する第１情報と、前記単一の記録媒体上にレイアウトされる前記複数の原稿画像の文字の配列方向に関する第２情報を獲得する獲得手段と、
単一の記録媒体上に前記複数の原稿画像をレイアウトするレイアウト手段と、前記獲得手段により獲得した前記第１及び第２情報に基づいて、前記単一の記録媒体上にレイアウトされる前記複数の原稿画像のレイアウト順序及び向きを決定するよう前記レイアウト手段を制御する制御手段とを備え、
前記制御手段は、前記獲得手段により獲得した前記第１及び第２情報を、前記単一の記録媒体にレイアウトすべき前記原稿画像に関連付けて記憶するよう制御する記憶制御手段を含み、
前記制御手段は、前記記憶制御手段の制御によって前記単一の記録媒体にレイアウトすべき前記原稿画像に関連付けて記憶された前記第１及び第２情報に基づいて、該単一の記録媒体にレイアウトすべき前記複数の原稿画像の前記レイアウト順序及び向きを決定する
ことを特徴とする画像処理装置。
【請求項２】
前記原稿画像を変換することにより得られる画像信号を保持する第１メモリと、
前記記憶制御手段により前記第１メモリの画像信号に関連付けられる前記獲得手段により獲得された前記第１及び第２情報を保持する第２メモリと
を更に備えることを特徴とする請求項１に記載の画像処理装置。
【請求項３】
前記画像信号を圧縮する圧縮手段と、
前記圧縮手段で圧縮された画像信号を伸張する伸張手段とを更に備え、
前記第１メモリは、前記圧縮手段で圧縮された画像信号を保持し、
前記制御手段は、前記獲得手段により獲得された前記第１及び第２情報に基づいて、前記第１メモリから前記圧縮された画像信号を読み出し、該画像信号を前記伸張手段によって伸張して得られる画像信号を用いて、前記複数の原稿画像のレイアウト順序と向きを変更する
ことを特徴とする請求項２に記載の画像処理装置。
【請求項４】
前記第１情報は、前記原稿画像の向きが上下左右のいずれかである
ことを特徴とする請求項１に記載の画像処理装置。
【請求項５】
前記第２情報は、前記原稿画像の文字の配列方向が縦書き／横書きのどちらかである
ことを特徴とする請求項１に記載の画像処理装置。
【請求項６】
オペレータの設定による前記第１及び第２情報を取得する第１モード、あるいは前記向き及び前記文字の配列方向の自動判定によって前記第１及び第２情報を取得する第２モードを選択する選択手段を更に備える
ことを特徴とする請求項１に記載の画像処理装置。
【請求項７】
前記制御手段の制御に基づき、前記複数の原稿画像を前記単一の記録媒体に形成する形成手段を更に備える
ことを特徴とする請求項１に記載の画像処理装置。
【請求項８】
前記形成手段は、前記複数の原稿画像を前記単一の記録媒体の片面に形成する
ことを特徴とする請求項７に記載の画像処理装置。
【請求項９】
前記形成手段は、前記制御手段の制御に基づき、前記複数の原稿画像を前記単一の記録媒体の両面に形成する
ことを特徴とする請求項７に記載の画像処理装置。
【請求項１０】
前記形成手段は、前記制御手段の制御に基づき、とじ代と前記複数の原稿画像を前記単一の記録媒体に形成する
ことを特徴とする請求項７に記載の画像処理装置。
【請求項１１】
前記形成手段は、前記制御手段の制御に基づき、ステイプル位置と前記複数の原稿画像を前記単一の記録媒体に形成する
ことを特徴とする請求項７に記載の画像処理装置。
【請求項１２】
前記獲得手段は、前記複数の原稿画像の向き及び該原稿画像の文字の配列方向を判定する判定手段を備え、
前記判定手段の判定の実行が指示された場合、前記判定手段は、縦方向及び横方向のヒストグラムを計算することによって、前記原稿画像から矩形で囲まれる文字領域を分割し、前記文字領域に含まれる複数の文字を抽出し、各文字について複数の方向から文字認識を行い、認識度が最も高い方向を、前記分割結果に基づく前記原稿画像の向き及び該原稿画像の文字の配列方向であると判定する
ことを特徴とする請求項１に記載の画像処理装置。
【請求項１３】
画像処理方法であって、
単一の記録媒体上にレイアウトされる複数の原稿画像の向きに関する第１情報と、前記単一の記録媒体上にレイアウトされる前記複数の原稿画像の文字の配列方向に関する第２情報を獲得する獲得工程と、
単一の記録媒体上に前記複数の原稿画像をレイアウトするレイアウト工程と、前記獲得工程により獲得した前記第１及び第２情報に基づいて、前記単一の記録媒体上にレイアウトされる前記複数の原稿画像のレイアウト順序及び方向を決定するよう前記レイアウト工程を制御する制御工程とを備え、
前記制御工程は、前記獲得工程により獲得した前記第１及び第２情報を、前記単一の記録媒体にレイアウトすべき前記原稿画像に関連付けて記憶するよう制御する記憶制御工程を含み、
前記制御工程は、前記記憶制御工程の制御によって前記単一の記録媒体にレイアウトすべき前記原稿画像に関連付けて記憶された前記第１及び第２情報に基づいて、該単一の記録媒体にレイアウトすべき前記複数の原稿画像の前記レイアウト順序及び方向を決定する
ことを特徴とする画像処理方法。
【請求項１４】
前記原稿画像を画像信号に変換し、該画像信号を第１メモリに保持する第１保持工程と、
前記記憶制御工程により前記第１メモリの画像信号に関連付けられる前記獲得工程により獲得された前記第１及び第２情報を第２メモリに保持する第２保持工程と
を更に備えることを特徴とする請求項１３に記載の画像処理方法。
【請求項１５】
前記画像信号を圧縮する圧縮工程と、
前記圧縮工程で圧縮された画像信号を伸張する伸張工程とを更に備え、
前記第１保持工程は、前記圧縮工程で圧縮された画像信号を前記第１メモリに保持し、
前記制御工程は、前記獲得工程により獲得された前記第１及び第２情報に基づいて、前記第１メモリから前記圧縮された画像信号を読み出し、該画像信号を前記伸張工程によって伸張して得られる画像信号を用いて、前記複数の原稿画像のレイアウト順序と向きを変更する
ことを特徴とする請求項１４に記載の画像処理方法。
【請求項１６】
前記第１情報は、前記原稿画像の向きが上下左右のいずれかである
ことを特徴とする請求項１３に記載の画像処理方法。
【請求項１７】
前記第２情報は、前記原稿画像の文字の配列方向が縦書き／横書きのどちらかである
ことを特徴とする請求項１３に記載の画像処理方法。
【請求項１８】
オペレータの設定による前記第１及び第２情報を取得する第１モード、あるいは前記向き及び前記文字の配列方向の自動判定によって前記第１及び第２情報を取得する第２モードを選択する選択工程を更に備える
ことを特徴とする請求項１３に記載の画像処理方法。
【請求項１９】
前記制御工程の制御に基づき、前記複数の原稿画像を前記単一の記録媒体に形成する形成工程を更に備える
ことを特徴とする請求項１３に記載の画像処理方法。
【請求項２０】
前記形成工程は、前記複数の原稿画像を前記単一の記録媒体の片面に形成する
ことを特徴とする請求項１９に記載の画像処理方法。
【請求項２１】
前記形成工程は、前記制御工程の制御に基づき、前記複数の原稿画像を前記単一の記録媒体の両面に形成する
ことを特徴とする請求項１９に記載の画像処理方法。
【請求項２２】
前記形成工程は、前記制御工程の制御に基づき、とじ代と前記複数の原稿画像を前記単一の記録媒体に形成する
ことを特徴とする請求項１９に記載の画像処理方法。
【請求項２３】
前記形成工程は、前記制御工程の制御に基づき、ステイプル位置と前記複数の原稿画像を前記単一の記録媒体に形成する
ことを特徴とする請求項１９に記載の画像処理方法。
【請求項２４】
前記獲得工程は、前記複数の原稿画像の向き及び該原稿画像の文字の配列方向を判定する判定工程を備え、
前記判定工程の判定の実行が指示された場合、前記判定工程は、縦方向及び横方向のヒストグラムを計算することによって、前記原稿画像から矩形で囲まれる文字領域を分割し、前記文字領域に含まれる複数の文字を抽出し、各文字について複数の方向から文字認識を行い、認識度が最も高い方向を、前記分割結果に基づく前記原稿画像の向き及び該原稿画像の文字の配列方向であると判定する
ことを特徴とする請求項１３に記載の画像処理方法。
【請求項２５】
画像処理のプログラムコードを記憶するコンピュータ可読メモリであって、
単一の記録媒体上にレイアウトされる複数の原稿画像の向きに関する第１情報と、前記単一の記録媒体上にレイアウトされる前記複数の原稿画像の文字の配列方向に関する第２情報を獲得する獲得工程のプログラムコードと、
単一の記録媒体上に前記複数の原稿画像をレイアウトするレイアウト工程のプログラムコードと、
前記獲得工程により獲得した前記第１及び第２情報に基づいて、前記単一の記録媒体上にレイアウトされる前記複数の原稿画像のレイアウト順序及び方向を決定するよう前記レイアウト工程を制御する制御工程のプログラムコードとを備え、
前記制御工程は、前記獲得工程により獲得した前記第１及び第２情報を前記単一の記録媒体にレイアウトすべき前記原稿画像に関連付けて記憶するよう制御する記憶制御工程を含み、
前記制御工程は、前記記憶制御工程の制御によって前記単一の記録媒体にレイアウトすべき前記原稿画像に関連付けて記憶された前記第１及び第２情報に基づいて、該単一の記録媒体にレイアウトすべき前記複数の原稿画像の前記レイアウト順序及び方向を決定する
ことを特徴とするコンピュータ可読メモリ。
【手続補正３】
【補正対象書類名】明細書
【補正対象項目名】０００１
【補正方法】変更
【補正の内容】
【０００１】
【発明の属する技術分野】
本発明は、複数頁の原稿を読み取り、読み取った各ページに対する複数の原稿画像を記録媒体に形成する画像処理装置及びその方法に関するものである。


【手続補正４】
【補正対象書類名】明細書
【補正対象項目名】０００７
【補正方法】変更
【補正の内容】
【０００７】
本発明は上記の問題点に鑑みてなされたものであり、複数の原稿を読み取って得られる複数の原稿画像を、実用に則したレイアウトで記録媒体に形成することができる画像処理装置及びその方法を提供することを目的とする。


【手続補正５】
【補正対象書類名】明細書
【補正対象項目名】０００８
【補正方法】変更
【補正の内容】
【０００８】
【課題を解決するための手段】
上記の目的を達成するための本発明による画像処理装置は以下の構成を備える。即ち、
画像処理装置であって、
単一の記録媒体上にレイアウトされる複数の原稿画像の向きに関する第１情報と、前記単一の記録媒体上にレイアウトされる前記複数の原稿画像の文字の配列方向に関する第２情報を獲得する獲得手段と、
単一の記録媒体上に前記複数の原稿画像をレイアウトするレイアウト手段と、前記獲得手段により獲得した前記第１及び第２情報に基づいて、前記単一の記録媒体上にレイアウトされる前記複数の原稿画像のレイアウト順序及び向きを決定するよう前記レイアウト手段を制御する制御手段とを備え、
前記制御手段は、前記獲得手段により獲得した前記第１及び第２情報を、前記単一の記録媒体にレイアウトすべき前記原稿画像に関連付けて記憶するよう制御する記憶制御手段を含み、
前記制御手段は、前記記憶制御手段の制御によって前記単一の記録媒体にレイアウトすべき前記原稿画像に関連付けて記憶された前記第１及び第２情報に基づいて、該単一の記録媒体にレイアウトすべき前記複数の原稿画像の前記レイアウト順序及び向きを決定する
ことを特徴とする。


【手続補正６】
【補正対象書類名】明細書
【補正対象項目名】０００９
【補正方法】変更
【補正の内容】
【０００９】
また、好ましくは、前記原稿画像を変換することにより得られる画像信号を保持する第１メモリと、
前記記憶制御手段により前記第１メモリの画像信号に関連付けられる前記獲得手段により獲得された前記第１及び第２情報を保持する第２メモリと
を更に備える。
また、好ましくは、前記画像信号を圧縮する圧縮手段と、
前記圧縮手段で圧縮された画像信号を伸張する伸張手段とを更に備え、
前記第１メモリは、前記圧縮手段で圧縮された画像信号を保持し、
前記制御手段は、前記獲得手段により獲得された前記第１及び第２情報に基づいて、前記第１メモリから前記圧縮された画像信号を読み出し、該画像信号を前記伸張手段によって伸張して得られる画像信号を用いて、前記複数の原稿画像のレイアウト順序と向きを変更する。
また、好ましくは、前記第１情報は、前記原稿画像の向きが上下左右のいずれかである。
また、好ましくは、前記第２情報は、前記原稿画像の文字の配列方向が縦書き／横書きのどちらかである。


【手続補正７】
【補正対象書類名】明細書
【補正対象項目名】００１０
【補正方法】変更
【補正の内容】
【００１０】
また、好ましくは、オペレータの設定による前記第１及び第２情報を取得する第１モード、あるいは前記向き及び前記文字の配列方向の自動判定によって前記第１及び第２情報を取得する第２モードを選択する選択手段を更に備える。
また、好ましくは、前記制御手段の制御に基づき、前記複数の原稿画像を前記単一の記録媒体に形成する形成手段を更に備える。
また、好ましくは、前記形成手段は、前記複数の原稿画像を前記単一の記録媒体の片面に形成する。


【手続補正８】
【補正対象書類名】明細書
【補正対象項目名】００１１
【補正方法】変更
【補正の内容】
【００１１】
また、好ましくは、前記形成手段は、前記制御手段の制御に基づき、前記複数の原稿画像を前記単一の記録媒体の両面に形成する。
また、好ましくは、前記形成手段は、前記制御手段の制御に基づき、とじ代と前記複数の原稿画像を前記単一の記録媒体に形成する。
また、好ましくは、前記形成手段は、前記制御手段の制御に基づき、ステイプル位置と前記複数の原稿画像を前記単一の記録媒体に形成する。
また、好ましくは、前記獲得手段は、前記複数の原稿画像の向き及び該原稿画像の文字の配列方向を判定する判定手段を備え、
前記判定手段の判定の実行が指示された場合、前記判定手段は、縦方向及び横方向のヒストグラムを計算することによって、前記原稿画像から矩形で囲まれる文字領域を分割し、前記文字領域に含まれる複数の文字を抽出し、各文字について複数の方向から文字認識を行い、認識度が最も高い方向を、前記分割結果に基づく前記原稿画像の向き及び該原稿画像の文字の配列方向であると判定する。


【手続補正９】
【補正対象書類名】明細書
【補正対象項目名】００１２
【補正方法】変更
【補正の内容】
【００１２】
上記の目的を達成するための本発明による画像処理方法は以下の構成を備える。即ち、  画像処理方法であって、
単一の記録媒体上にレイアウトされる複数の原稿画像の向きに関する第１情報と、前記単一の記録媒体上にレイアウトされる前記複数の原稿画像の文字の配列方向に関する第２情報を獲得する獲得工程と、
単一の記録媒体上に前記複数の原稿画像をレイアウトするレイアウト工程と、前記獲得工程により獲得した前記第１及び第２情報に基づいて、前記単一記録媒体上にレイアウトされる前記複数の原稿画像のレイアウト順序及び方向を決定するよう前記レイアウト工程を制御する制御工程とを備え、
前記制御工程は、前記獲得工程により獲得した前記第１及び第２情報を、前記単一の記録媒体にレイアウトすべき前記原稿画像に関連付けて記憶するよう制御する記憶制御工程を含み、
前記制御工程は、前記記憶制御工程の制御によって前記単一の記録媒体にレイアウトすべき前記原稿画像に関連付けて記憶された前記第１及び第２情報に基づいて、該単一の記録媒体にレイアウトすべき前記複数の原稿画像の前記レイアウト順序及び方向を決定する
ことを特徴とする。


【手続補正１０】
【補正対象書類名】明細書
【補正対象項目名】００１３
【補正方法】変更
【補正の内容】
【００１３】
また、好ましくは、前記原稿画像を画像信号に変換し、該画像信号を第１メモリに保持する第１保持工程と、
前記記憶制御工程により前記第１メモリの画像信号に関連付けられる前記獲得工程により獲得された前記第１及び第２情報を第２メモリに保持する第２保持工程と
を更に備える。
また、好ましくは、前記画像信号を圧縮する圧縮工程と、
前記圧縮工程で圧縮された画像信号を伸張する伸張工程とを更に備え、
前記第１保持工程は、前記圧縮工程で圧縮された画像信号を前記第１メモリに保持し、
前記制御工程は、前記獲得工程により獲得された前記第１及び第２情報に基づいて、前記第１メモリから前記圧縮された画像信号を読み出し、該画像信号を前記伸張工程によって伸張して得られる画像信号を用いて、前記複数の原稿画像のレイアウト順序と向きを変更する。
また、好ましくは、前記第１情報は、前記原稿画像の向きが上下左右のいずれかである。
また、好ましくは、前記第２情報は、前記原稿画像の文字の配列方向が縦書き／横書きのどちらかである。
また、好ましくは、オペレータの設定による前記第１及び第２情報を取得する第１モード、あるいは前記向き及び前記文字の配列方向の自動判定によって前記第１及び第２情報を取得する第２モードを選択する選択工程を更に備える。


【手続補正１１】
【補正対象書類名】明細書
【補正対象項目名】００１４
【補正方法】変更
【補正の内容】
【００１４】
また、好ましくは、オペレータの設定による前記第１及び第２情報を取得する第１モード、あるいは前記向き及び前記文字の配列方向の自動判定によって前記第１及び第２情報を取得する第２モードを選択する選択工程を更に備える。
また、好ましくは、前記制御工程の制御に基づき、前記複数の原稿画像を前記単一の記録媒体に形成する形成工程を更に備える。
また、好ましくは、前記形成工程は、前記複数の原稿画像を前記単一の記録媒体の片面に形成する。
また、好ましくは、前記形成工程は、前記制御工程の制御に基づき、前記複数の原稿画像を前記単一の記録媒体の両面に形成する。
また、好ましくは、前記形成工程は、前記制御工程の制御に基づき、とじ代と前記複数の原稿画像を前記単一の記録媒体に形成する。
また、好ましくは、前記形成工程は、前記制御工程の制御に基づき、ステイプル位置と前記複数の原稿画像を前記単一の記録媒体に形成する。
また、好ましくは、前記獲得工程は、前記複数の原稿画像の向き及び該原稿画像の文字の配列方向を判定する判定工程を備え、
前記判定工程の判定の実行が指示された場合、前記判定工程は、縦方向及び横方向のヒストグラムを計算することによって、前記原稿画像から矩形で囲まれる文字領域を分割し、前記文字領域に含まれる複数の文字を抽出し、各文字について複数の方向から文字認識を行い、認識度が最も高い方向を、前記分割結果に基づく前記原稿画像の向き及び該原稿画像の文字の配列方向であると判定する。


【手続補正１２】
【補正対象書類名】明細書
【補正対象項目名】００１５
【補正方法】変更
【補正の内容】
【００１５】
上記の目的を達成するための本発明によるコンピュータ可読メモリは以下の構成を備える。即ち、
画像処理のプログラムコードを記憶するコンピュータ可読メモリであって、
単一の記録媒体上にレイアウトされる複数の原稿画像の向きに関する第１情報と、前記単一の記録媒体上にレイアウトされる前記複数の原稿画像の文字の配列方向に関する第２情報を獲得する獲得工程のプログラムコードと、
単一の記録媒体上に前記複数の原稿画像をレイアウトするレイアウト工程のプログラムコードと、
前記獲得工程により獲得した前記第１及び第２情報に基づいて、前記単一の記録媒体上にレイアウトされる前記複数の原稿画像のレイアウト順序及び方向を決定するよう前記レイアウト工程を制御する制御工程のプログラムコードとを備え、
前記制御工程は、前記獲得工程により獲得した前記第１及び第２情報を前記単一の記録媒体にレイアウトすべき前記原稿画像に関連付けて記憶するよう制御する記憶制御工程を含み、
前記制御工程は、前記記憶制御工程の制御によって前記単一の記録媒体にレイアウトすべき前記原稿画像に関連付けて記憶された前記第１及び第２情報に基づいて、該単一の記録媒体にレイアウトすべき前記複数の原稿画像の前記レイアウト順序及び方向を決定する
ことを特徴とする。


【手続補正１３】
【補正対象書類名】明細書
【補正対象項目名】００７６
【補正方法】変更
【補正の内容】
【００７６】
【発明の効果】
以上説明したように、本発明によれば、複数の原稿を読み取って得られる複数の原稿画像を、実用に則したレイアウトで記録媒体に形成することができる画像処理装置及びその方法を提供できる。